(57)【要約】【課題】給水タンク内の水位に基づきヒートポンプからの出湯量を連続的に変化させ、給水タンク内の温水の使用負荷に迅速に追従して温水製造できる給水加温システムを提供する。【解決手段】ヒートポンプ４は、出力を変更可能である。給水タンク３には、ヒートポンプ４の凝縮器１３を介して給水路８により給水可能であると共に、凝縮器１３を介さずに補給水路９により給水可能である。給水タンク３内の水位を設定水位に維持するように、ヒートポンプ４の出力を制御する。給水路８を介した給水タンク３への給水中、出湯温度センサ２２の検出温度を設定温度に維持するように、給水ポンプ１０をインバータ制御して、通水量を調整するのがよい。【選択図】図１
2014169845.tif 000002
【特許請求の範囲】
【請求項１】
出力を変更可能な蒸気圧縮式のヒートポンプと、
このヒートポンプの凝縮器を介して給水路により給水可能であると共に、前記凝縮器を介さずに補給水路により給水可能な給水タンクとを備え、
前記給水タンク内の水位を設定水位に維持するように、前記ヒートポンプの出力を制御する
ことを特徴とする給水加温システム。
【請求項２】
前記給水タンクの水位に基づき、前記給水路を介した前記給水タンクへの給水の有無と、前記ヒートポンプの出力を制御し、
前記給水路を介した前記給水タンクへの給水中、前記凝縮器の出口側の水温を設定温度に維持するように通水量を調整すると共に、前記給水タンク内の水位を設定水位に維持するように前記ヒートポンプの圧縮機をインバータ制御する
ことを特徴とする請求項１に記載の給水加温システム。
【発明の詳細な説明】
【技術分野】
【０００１】
本発明は、ヒートポンプを用いた給水加温システムに関するものである。
【背景技術】
【０００２】
従来、下記特許文献１に開示されるように、ボイラ（２４）の給水タンク（２３）への給水を、ヒートポンプ（１２）を用いて加温できるシステムが知られている。また、出願人は、この従来技術に比べてヒートポンプの効率をさらに向上した給水加温システムを提案し、既に特許出願を済ませている（特願２０１２−７９１９１）。
【０００３】
この出願中の給水加温システムは、ヒートポンプと給水タンクとを備え、給水タンクには、ヒートポンプを介して給水路により給水可能であると共に、ヒートポンプを介さずに補給水路により給水可能である。給水路を介した給水タンクへの給水は、廃熱回収熱交換器、過冷却器および凝縮器を順に通される。廃熱回収熱交換器は、給水路を介した給水タンクへの給水と、蒸発器を通過後の熱源流体との間接熱交換器であり、過冷却器は、給水路を介した給水タンクへの給水と、凝縮器から膨張弁への冷媒との間接熱交換器である。給水路を介した給水タンクへの給水中、ヒートポンプを運転すると共に、ヒートポンプの凝縮器の出口側水温を設定温度に維持するように、凝縮器への通水量を調整するのが好ましい。
【先行技術文献】
【特許文献】
【０００４】
【特許文献１】特開２０１０−２５４３１号公報（図２、図３）
【発明の概要】
【発明が解決しようとする課題】
【０００５】
本発明が解決しようとする課題は、給水タンク内の水位に基づきヒートポンプからの出湯量を連続的に変化させ、給水タンク内の温水の使用負荷に迅速に追従して温水製造できる給水加温システムを提供することにある。
【課題を解決するための手段】
【０００６】
本発明は、前記課題を解決するためになされたもので、請求項１に記載の発明は、出力を変更可能な蒸気圧縮式のヒートポンプと、このヒートポンプの凝縮器を介して給水路により給水可能であると共に、前記凝縮器を介さずに補給水路により給水可能な給水タンクとを備え、前記給水タンク内の水位を設定水位に維持するように、前記ヒートポンプの出力を制御することを特徴とする給水加温システムである。
【０００７】
請求項１に記載の発明によれば、給水タンク内の水位を設定水位に維持するように、ヒートポンプの出力を制御する。具体的には、設定水位を下回るほど、ヒートポンプの出力を上げる一方、設定水位を上回るほど、ヒートポンプの出力を下げることで、ヒートポンプからの出湯量を連続的に変化させることができる。このようにして、給水タンク内の温水の使用負荷に迅速に追従して、温水を製造することができる。
【０００８】
さらに、請求項２に記載の発明は、前記給水タンクの水位に基づき、前記給水路を介した前記給水タンクへの給水の有無と、前記ヒートポンプの出力を制御し、前記給水路を介した前記給水タンクへの給水中、前記凝縮器の出口側の水温を設定温度に維持するように通水量を調整すると共に、前記給水タンク内の水位を設定水位に維持するように前記ヒートポンプの圧縮機をインバータ制御することを特徴とする請求項１に記載の給水加温システムである。
【０００９】
請求項２に記載の発明によれば、給水路を介した給水タンクへの給水中、凝縮器の出口側の水温を設定温度に維持するように通水量を調整することで、給水タンクに設定温度の温水を供給することができる。また、この場合、ヒートポンプの出力の増減に応じて、給水路を介した給水タンクへの給水流量が増減される。よって、給水タンク内の水位が低いほど、ヒートポンプの出力を上げて、出湯量を増すことができる一方、給水タンク内の水位が高いほど、ヒートポンプの出力を下げて、出湯量を減らすことができる。このようにして、給水タンク内の温水の使用負荷に迅速に追従して、温水を製造することができる。
【発明の効果】
【００１０】
本発明によれば、給水タンク内の水位に基づきヒートポンプからの出湯量を連続的に変化させ、給水タンク内の温水の使用負荷に迅速に追従して温水製造することができる。
【図面の簡単な説明】
【００１１】
【図１】本発明の給水加温システムの一実施例を示す概略図である。
【図２】給水タンクの水位に基づく給水加温システムの制御方法の一例を示す図である。
【発明を実施するための形態】
【００１２】
以下、本発明の具体的実施例を図面に基づいて詳細に説明する。
図１は、本発明の給水加温システム１の一実施例を示す概略図である。
【００１３】
本実施例の給水加温システム１は、ボイラ２の給水タンク３への給水をヒートポンプ４で加温できるシステムであり、ボイラ２への給水を貯留する給水タンク３と、この給水タンク３への給水を貯留する補給水タンク５と、この補給水タンク５から給水タンク３への給水を加温するヒートポンプ４と、このヒートポンプ４の熱源としての熱源水（たとえば廃温水）を貯留する熱源水タンク６とを備える。
【００１４】
ボイラ２は、蒸気ボイラであり、給水タンク３からの給水を加熱して蒸気にする。ボイラ２は、典型的には、蒸気の圧力を所望に維持するように、燃焼量を調整される。また、ボイラ２は、缶体内の水位を所望に維持するように、給水タンク３からボイラ２への給水路またはボイラの内部に設けたポンプ７が制御される。ボイラ２からの蒸気は、各種の蒸気使用設備（図示省略）へ送られるが、蒸気使用設備からのドレン（蒸気の凝縮水）を給水タンク３へ戻してもよい。
【００１５】
給水タンク３は、補給水タンク５から、ヒートポンプ４を介して給水路８により給水可能であると共に、ヒートポンプ４を介さずに補給水路９により給水可能である。給水路８に設けた給水ポンプ１０と、補給水路９に設けた補給水ポンプ１１との作動を制御することで、給水路８と補給水路９との内、いずれか一方または双方を介して、補給水タンク５から給水タンク３へ給水可能である。
【００１６】
給水ポンプ１０は、本実施例では、インバータにより回転数を制御可能とされる。給水ポンプ１０の回転数を変更することで、給水路８を介した給水タンク３への給水流量を調整することができる。一方、補給水ポンプ１１は、本実施例では、オンオフ制御される。
【００１７】
補給水タンク５は、給水タンク３への給水を貯留する。補給水タンク５への給水として、本実施例では軟水が用いられる。すなわち、軟水器（図示省略）にて水中の硬度分を除去された軟水は、補給水タンク５に供給され貯留される。補給水タンク５の水位に基づき軟水器からの給水を制御することで、補給水タンク５の水位は所望に維持される。
【００１８】
ヒートポンプ４は、蒸気圧縮式のヒートポンプであり、圧縮機１２、凝縮器１３、膨張弁１４および蒸発器１５が順次環状に接続されて構成される。そして、圧縮機１２は、ガス冷媒を圧縮して高温高圧にする。また、凝縮器１３は、圧縮機１２からのガス冷媒を凝縮液化する。さらに、膨張弁１４は、凝縮器１３からの液冷媒を通過させることで、冷媒の圧力と温度とを低下させる。そして、蒸発器１５は、膨張弁１４からの冷媒の蒸発を図る。
【００１９】
従って、ヒートポンプ４は、蒸発器１５において、冷媒が外部から熱を奪って気化する一方、凝縮器１３において、冷媒が外部へ放熱して凝縮することになる。これを利用して、本実施例では、ヒートポンプ４は、蒸発器１５において、熱源水から熱をくみ上げ、凝縮器１３において、給水路８の水を加温する。
【００２０】
ヒートポンプ４は、さらに、凝縮器１３と膨張弁１４との間に、過冷却器１６を備えるのが好ましい。過冷却器１６は、凝縮器１３から膨張弁１４への冷媒と、凝縮器１３への給水との間接熱交換器である。過冷却器１６により、凝縮器１３への給水で、凝縮器１３から膨張弁１４への冷媒を過冷却することができると共に、凝縮器１３から膨張弁１４への冷媒で、凝縮器１３への給水を加温することができる。ヒートポンプ４の冷媒は、好適には、凝縮器１３において潜熱を放出し、過冷却器１６において顕熱を放出する。
【００２１】
つまり、凝縮器１３において、ガス冷媒は凝縮して液冷媒となり、その液冷媒が過冷却器１６に供給されて、過冷却器１６において、液冷媒はさらに冷却（過冷却）される。冷媒の凝縮用と過冷却用とで熱交換器を分けることで、熱交換器の設計が容易となり、熱交換器を簡易な構造で小型化でき、コスト削減を図ることができる。また、汎用の熱交換器の利用も可能となる。
【００２２】
その他、ヒートポンプ４には、圧縮機１２の入口側にアキュムレータを設置したり、圧縮機１２の出口側に油分離器を設置したり、凝縮器１３の出口側（凝縮器１３と過冷却器１６との間）に受液器を設置したりしてもよい。
【００２３】
ところで、ヒートポンプ４は、その出力を変更可能とされる。たとえば、圧縮機１２のモータの電源周波数ひいては回転数をインバータで変更することで、ヒートポンプ４の出力を変更することができる。
【００２４】
給水加温システム１は、さらに、廃熱回収熱交換器１７を備えるのが好ましい。この廃熱回収熱交換器１７は、過冷却器１６への給水と、蒸発器１５を通過後の熱源水との間接熱交換器である。従って、給水路８の水は、廃熱回収熱交換器１７、過冷却器１６および凝縮器１３へと順に通されることになる。一方、熱源水タンク６の熱源水は、熱源供給路１８を介して、蒸発器１５を通された後、廃熱回収熱交換器１７に通される。
【００２５】
熱源水タンク６は、ヒートポンプ４の熱源としての熱源水を貯留する。熱源水とは、たとえば廃温水（工場などから排出される温水）である。なお、熱源水タンク６には、熱源水の供給路１９が設けられると共に、所定以上の水をあふれさせるオーバーフロー路２０が設けられている。
【００２６】
熱源水タンク６の熱源水は、熱源供給路１８を介して、ヒートポンプ４の蒸発器１５を通された後、廃熱回収熱交換器１７を通される。熱源供給路１８には、蒸発器１５より上流側に熱源供給ポンプ２１が設けられており、この熱源供給ポンプ２１を作動させることで、熱源水タンク６からの熱源水を、蒸発器１５と廃熱回収熱交換器１７とに順に通すことができる。
【００２７】
蒸発器１５を先に通した後に廃熱回収熱交換器１７に熱源水を通すことで、廃熱回収熱交換器１７を先に通した後に蒸発器１５に熱源水を通す場合と比較して、蒸発器１５における冷媒の蒸発温度（つまり蒸発圧力）を高めることができ、圧縮機１２の圧力比を小さくすることができ、省エネルギーを図ることができる。
【００２８】
給水路８には、凝縮器１３の出口側に、出湯温度センサ２２が設けられる。出湯温度センサ２２は、凝縮器１３を通過後の水温を検出する。出湯温度センサ２２の検出温度に基づき、給水ポンプ１０が制御される。ここでは、給水ポンプ１０は、出湯温度センサ２２の検出温度を設定温度（出湯温度設定値）に維持するようにインバータ制御される。つまり、給水路８を介した給水タンク３への給水は、出湯温度センサ２２の検出温度を設定温度に維持するように、流量が調整される。
【００２９】
給水タンク３には、水位検出器２３が設けられる。この水位検出器２３は、その構成を特に問わないが、本実施例では、水位に応じた出力を得られるアナログ式の水位検出器とされる。つまり、水位検出器２３は、給水タンク３内の水位を連続的に検出する。具体的には、給水タンク３内の水位に応じて水圧が変わることを利用した水圧式の水位検出器を用いることができるが、これに代えて圧力センサを用いることもできる。あるいは、静電容量式の水位検出器を用いることもできる。
【００３０】
熱源水タンク６には、熱源水の有無を確認するために、水位検出器２４が設けられる。この水位検出器２４は、その構成を特に問わないが、本実施例では電極式水位検出器とされる。この場合、熱源水タンク６には、低水位検出電極棒２５が差し込まれており、熱源水の水位が設定を下回っていないかを監視する。
【００３１】
熱源水タンク６には、熱源水の温度を検出する熱源温度センサ２６が設けられる。但し、熱源温度センサ２６は、熱源水タンク６から蒸発器１５への熱源供給路１８に設けてもよい。
【００３２】
次に、本実施例の給水加温システム１の制御（運転方法）について説明する。以下に説明する一連の制御は、図示しない制御器を用いて自動でなされる。
【００３３】
図２は、給水タンク３の水位に基づく給水加温システム１の制御方法の一例を示す図である。この図に示すように、給水タンク３の水位に基づき、ヒートポンプ４（特にその圧縮機１２）および給水ポンプ１０と、補給水ポンプ１１とが制御される。
【００３４】
給水タンク３には、給水路８を介して給水可能であると共に補給水路９を介しても給水可能であるが、通常は、給水路８を介した給水が優先されるように制御されるのが好ましい。すなわち、給水タンク３の水位を設定範囲に維持するように、給水路８を介した給水を制御するが、それでは給水タンク３の水位が設定範囲を維持できない場合には、補給水路９を介しても給水タンク３へ給水するのが好ましい。
【００３５】
具体的には、本実施例では、次のように制御される。まず、給水タンク３内の水位が下限水位を下回ると、給水ポンプ１０を作動させる一方、上限水位を上回ると、給水ポンプ１０を停止する。給水ポンプ１０の作動中、ヒートポンプ４は、給水タンク３内の水位を設定範囲内（上限水位と下限水位との間）におさめるように、出力が調整される。
【００３６】
もし、給水ポンプ１０を作動させても、給水タンク３の水位を回復できず、さらに低い所定の補給水開始水位を下回ると、補給水ポンプ１１を作動させて、補給水路９を介しても給水タンク３に給水する。これにより、給水タンク３の水位が回復して、給水タンク３の水位が補給水停止水位を上回ると、補給水ポンプ１１を停止して、補給水路９を介しての給水を停止する。なお、図示例では、補給水停止水位は、下限水位と同一水位としているが、下限水位と異なる水位としてもよい。
【００３７】
給水路８を介した給水中、ヒートポンプ４を運転すると共に、熱源供給ポンプ２１を作動させる。ヒートポンプ４は、その圧縮機１２の作動の有無により、運転と停止が切り替えられる。また、ヒートポンプ４は、給水タンク３の水位に基づき出力を制御される。本実施例では、給水タンク３内の水を設定水位（目標水位）に維持するように、ヒートポンプ４の出力が調整される。設定水位を下回るほど、ヒートポンプ４の出力を上げる一方、設定水位を上回るほど、ヒートポンプ４の出力を下げる。下限水位以下において、ヒートポンプ４は全負荷運転（１００％出力）し、下限水位から上限水位に行くに従って、ヒートポンプ４の出力は徐々に減少され、上限水位以上において、ヒートポンプ４は停止（０％出力）する。このような制御は、水位検出器２３の検出信号に基づき、圧縮機１２のモータをインバータ制御すればよい。
【００３８】
給水路８を介した給水中、給水ポンプ１０は、出湯温度センサ２２の検出温度を設定温度に維持するように、回転数をインバータ制御される。その結果、ヒートポンプ４の出力の増減に応じて、給水路８を介した給水タンク３への給水流量が増減される。つまり、給水タンク３内の水位が低いほど、ヒートポンプ４の出力を上げて、出湯量を増すことができる一方、給水タンク３内の水位が高いほど、ヒートポンプ４の出力を下げて、出湯量を減らすことができる。このようにして、給水タンク３内の温水の使用負荷に迅速に追従して、温水を製造することができる。
【００３９】
ヒートポンプ４を運転して、補給水タンク５から給水路８を介して給水タンク３へ給水する際、補給水タンク５からの給水は、廃熱回収熱交換器１７、過冷却器１６および凝縮器１３により徐々に加温されて、設定温度で給水タンク３へ供給される。給水タンク３とヒートポンプ４（凝縮器１３）との間で水を循環させる場合と比較して、補給水タンク５から給水タンク３への一回の通過（ワンススルー）で給水を加温するので、ヒートポンプ４を通過する前後の給水の温度差を確保して、ヒートポンプ４の成績係数（ＣＯＰ）の向上を図ることができる。また、各熱交換器をコンパクトに構成することもできる。
【００４０】
また、ヒートポンプ４の運転中、つまり給水路８を介した給水タンク３への給水中、熱源水タンク６の水温を熱源温度センサ２６で監視して、その温度に基づきヒートポンプ４の出力を調整してもよい。ヒートポンプ４の熱源としての熱源水の温度が高温なほど、ヒートポンプ４の出力を下げることができる。熱源水の温度を考慮してヒートポンプ４の出力を調整することで、熱源水の温度変化に拘わらず、給水路８を介した給水タンク３への給水流量を安定させることができる。
【００４１】
さらに、ヒートポンプ４の運転中、熱源水タンク６の水位が下がり、低水位検出電極棒２５が水位を検知しなくなると、ヒートポンプ４の運転を停止すると共に、熱源供給ポンプ２１を停止して蒸発器１５への熱源水の供給を停止するのがよい。これにより、ヒートポンプ４を無駄に運転するのが防止される。また、同様に、ヒートポンプ４の運転中（つまり給水路８を介した給水タンク３への給水制御中）、万一、給水路８を通る給水の量が設定を下回ると、ヒートポンプ４の運転を停止すると共に、熱源供給ポンプ２１を停止して蒸発器１５への熱源水の供給を停止するのがよい。
【００４２】
本発明の給水加温システム１は、前記実施例の構成に限らず、適宜変更可能である。特に、給水タンク３内の水位を設定水位（設定範囲内）に維持するように、ヒートポンプ４の出力を制御するのであれば、その他の構成は適宜に変更可能である。
【００４３】
また、前記実施例では、給水路８を介した給水タンク３への給水流量を調整するために、給水ポンプ１０をインバータ制御したが、給水ポンプ１０をオンオフ制御しつつ、給水路８に設けたバルブの開度を調整してもよい。つまり、出湯温度センサ２２の検出温度などに基づき給水路８を介した給水の流量を調整可能であれば、その流量調整方法は適宜に変更可能である。
【００４４】
また、ヒートポンプ４は、単段に限らず複数段とすることもできる。ヒートポンプ４を複数段にする場合、隣接する段のヒートポンプ同士は、間接熱交換器を用いて接続されてもよいし、直接熱交換器（中間冷却器）を用いて接続されてもよい。後者の場合、下段ヒートポンプの圧縮機からの冷媒と上段ヒートポンプの膨張弁からの冷媒とを受けて、両冷媒を直接に接触させて熱交換する中間冷却器を備え、この中間冷却器が下段ヒートポンプの凝縮器であると共に上段ヒートポンプの蒸発器とされる。このように、複数段（多段）のヒートポンプには、一元多段のヒートポンプの他、複数元（多元）のヒートポンプ、あるいはそれらの組合せのヒートポンプが含まれる。
【００４５】
また、給水タンク３に、凝縮器１３を介して給水路８により給水可能であると共に、凝縮器１３を介さずに補給水路９により給水可能であれば、給水路８や補給水路９の具体的構成は、前記実施例の構成に限らず適宜変更可能である。たとえば、前記実施例では、給水路８と補給水路９とは、それぞれ補給水タンク５と給水タンク３とを接続するように並列に設けたが、給水路８と補給水路９との一端部（補給水タンク５側の端部）と他端部（給水タンク３側の端部）の一方または双方は、共通の管路としてもよい。言い換えれば、補給水路９の一端部は、補給水タンク５に接続するのではなく、給水路８から分岐するように設けてもよいし、補給水路９の他端部は、給水タンク３に接続するのではなく、給水タンク３の手前において給水路８に合流するように設けてもよい。補給水路９の一端部を、補給水タンク５に接続するのではなく、給水路８から分岐するように設ける場合、その分岐部より下流において、給水路８に給水ポンプ１０を設ける一方、補給水路９に補給水ポンプ１１を設ければよいが、分岐部よりも上流側の共通管路にのみポンプを設けて、分岐部より下流の給水路８および／または補給水路９に設けたバルブの開度を調整することで、給水路８や補給水路９を通る流量を調整してもよい。
【００４６】
また、前記実施例では、給水タンク３への給水を貯留するために補給水タンク５を設置したが、場合により補給水タンク５の設置を省略して、給水源から直接に給水路８および補給水路９に水を通してもよい。
【００４７】
また、前記実施例では、給水路８および／または補給水路９を介して、補給水タンク５から給水タンク３へ給水可能としたが、これら給水は、軟水器から直接に行ってもよい。たとえば、図１において、給水路８および補給水路９の基端部をまとめて軟水器に接続し、給水ポンプ１０の設置を省略する代わりに給水路８に設けた電動弁（モータバルブ）の開度を調整し、補給水ポンプ１１の設置を省略する代わりに補給水路９に設けた電磁弁の開閉を制御すればよい。
【００４８】
また、前記実施例では、ボイラ２の給水タンク３への給水をヒートポンプ４で加温できるシステムについて説明したが、給水タンク３の貯留水の利用先は、ボイラ２に限らず適宜に変更可能である。そして、場合により、補給水タンク５や補給水路９を省略してもよい。
【００４９】
また、前記実施例では、ヒートポンプ４の熱源として熱源水を用いた例について説明したが、ヒートポンプ４の熱源流体として、熱源水に限らず、空気や排ガスなど各種の流体を用いることができる。但し、熱源流体は、蒸発器１５においてヒートポンプ４の冷媒に熱（顕熱）を与えつつ自身は温度低下を伴い、その後、廃熱回収熱交換器１７において給水に熱（顕熱）を与えつつ自身は温度低下を伴う流体が好ましい。
【００５０】
さらに、前記実施例では、ヒートポンプ４の圧縮機１２は、電気モータにより駆動されたが、圧縮機１２の駆動源は特に問わない。たとえば、圧縮機１２は、電気モータに代えてまたはそれに加えて、蒸気を用いて動力を起こすスチームモータ（蒸気エンジン）に駆動されたり、ガスエンジンにより駆動されたりしてもよい。
【符号の説明】
【００５１】
１  給水加温システム
２  ボイラ
３  給水タンク
４  ヒートポンプ
５  補給水タンク
６  熱源水タンク
８  給水路
９  補給水路
１０  給水ポンプ
１１  補給水ポンプ
１２  圧縮機
１３  凝縮器
１４  膨張弁
１５  蒸発器
１６  過冷却器
１７  廃熱回収熱交換器
１８  熱源供給路
２２  出湯温度センサ
２３  水位検出器
【図１】
2014169845.tif 000003
【図２】
2014169845.tif 000004